(57)【要約】【課題】  局所的に強い光を含む光学像が入射した場合でも、イメージインテンシファイアを損傷することなく、増幅光学像を良好に観察することができる暗視装置を提供する。【解決手段】  イメージインテンシファイア（ＩＩ）２１を備える暗視装置１であって、ＩＩ２１の入力面の前方に配置され、Ａ行Ｂ列に配列された複数の画素を有する液晶遮光シャッタ３０と、液晶遮光シャッタ３０に入射する光学像を含む光学像を撮影するように配置され、Ｃ行Ｄ列に配列された複数の光電変換素子を有する撮像素子４０と、撮像素子４０の各光電変換素子の輝度値に基づいて、液晶遮光シャッタ３０の各画素を透過する光の透過率をそれぞれ調整する制御信号を出力する液晶遮光シャッタ制御部５２とを備えるようにする。【選択図】図２
2014179883.tif 000002
【特許請求の範囲】
【請求項１】
入射した光学像を増倍するイメージインテンシファイアを備える暗視装置であって、
前記イメージインテンシファイアの入力面の前方に配置され、Ａ行Ｂ列に配列された複数の画素を有する液晶遮光シャッタと、
前記液晶遮光シャッタに入射する光学像を含む光学像を撮影するように配置され、Ｃ行Ｄ列に配列された複数の光電変換素子を有する撮像素子と、
前記撮像素子の各光電変換素子の輝度値に基づいて、前記液晶遮光シャッタの各画素を透過する光の透過率をそれぞれ調整する制御信号を出力する液晶遮光シャッタ制御部とを備えることを特徴とする暗視装置。
【請求項２】
前記液晶遮光シャッタ制御部は、前記撮像素子の光電変換素子の輝度値が閾値以上である位置に対応する前記液晶遮光シャッタの画素を透過する光の透過率を下げることを特徴とする請求項１に記載の暗視装置。
【請求項３】
ＡとＣとを同数、ＢとＤとを同数となることを特徴とする請求項１又は請求項２に記載の暗視装置。
【請求項４】
前記イメージインテンシファイアは、右眼用イメージインテンシファイアと左眼用イメージインテンシファイアとを有し、
前記液晶遮光シャッタは、前記右眼用イメージインテンシファイアの入力面の前方に配置された右眼用液晶遮光シャッタと、前記左眼用イメージインテンシファイアの入力面の前方に配置された左眼用液晶遮光シャッタとを有することを特徴とする請求項１〜請求項３のいずれか１項に記載の暗視装置。
【請求項５】
前記撮像素子は、前記右眼用液晶遮光シャッタと同方向で同視野となるよう配置された右眼用撮像素子と、前記左眼用液晶遮光シャッタと同方向で同視野となるよう配置された左眼用撮像素子とを有することを特徴とする請求項４に記載の暗視装置。
【請求項６】
前記撮像素子は、可視光及び赤外光を検出することが可能な複数の光電変換素子を有し、
前記撮像素子の複数の光電変換素子から得られた輝度値に基づいて、赤外光画像を表示する表示素子と、
前記表示素子に表示された赤外光画像からの光の光路を変更して、装着者の眼に導く光学系とを備え、
前記赤外光画像は前記増幅光学像と重畳されて、前記装着者の眼に導かれるようになっていることを特徴とする請求項５に記載の暗視装置。
【発明の詳細な説明】
【技術分野】
【０００１】
本発明は、暗視装置に関し、例えばヘリコプタや航空機のパイロット等に、イメージインテンシファイア等の増幅機能で取得した外界画像を提供する暗視装置に関する。
【背景技術】
【０００２】
装着者の頭部に装着される形態の頭部装着型表示装置がある。頭部装着型表示装置では、夜間等の目視確認が難しい状況で外界画像を取得し、増幅して表示することができるようになっている。特に、外界画像を取得する手段としてイメージインテンシファイアを用いた表示装置は、目視で認識することが不可能な条件下でも外界画像を取得して装着者に認識させることができるため、ヘリコプタや航空機等での夜間運用において有効である。
【０００３】
現在、イメージインテンシファイアを用いた「ＮＶＧ（Night Vision Goggle）」と呼ばれる暗視装置は、地上での運用と共に航空機等の分野でも既に使用されており、ＮＶＧを装着した装着者は、夜間等の環境下でも外界を視認することができる（例えば、特許文献１参照）。ＮＶＧは、一般的に単眼鏡や双眼鏡に類似した外観を呈し、装着者の眼前に配置して使用されるものであり、ＮＶＧは、対物レンズとイメージインテンシファイアと接眼レンズとがこの順で並ぶように構成されている。
【０００４】
図７は、二眼方式ＮＶＧの外観構成例を示す図であり、図８は、二眼方式ＮＶＧの概略構成を示すブロック図である。なお、図において、装着者の前方をＸ方向とし、Ｘ方向と垂直な一方向（水平方向）をＹ方向とし、Ｙ方向とＸ方向とに垂直な方向（鉛直方向）をＺ方向とする。
二眼方式ＮＶＧ２０１は、双眼鏡に類似の外観を呈するフレーム部１０を備え、フレーム部１０には、装着者の左眼ＥＬの前方に配置される左眼用暗視モジュール２２０Ｌと、装着者の右眼ＥＲの前方に配置される右眼用暗視モジュール２２０Ｒとが取り付けられている。また、各ＩＩ（イメージインテンシファイア）内部にはゲイン（電子増倍率）を調整するイメージインテンシファイア制御部５１が設けられている。
【０００５】
フレーム部１０には、ヘルメット等に取り付けることが可能な取付機構（図示せず）と、左眼用暗視モジュール２２０Ｌや右眼用暗視モジュール２２０Ｒの前後方向位置や間隔や傾き等を調整することが可能な調整機構（図示せず）とが形成されている。そして、ヘルメット等に装着されたバッテリ等から取付機構を経由して電源が二眼方式ＮＶＧ２０１に供給されるようになっている。
【０００６】
左眼用暗視モジュール２２０Ｌは、外界の光学像を入射する対物レンズ２２Ｌと、光を増倍する左眼用ＩＩ２１Ｌと、左眼用ＩＩ２１Ｌの出力側に設けられた接眼レンズ２３Ｌとを有する。左眼用ＩＩ２１Ｌは、入射した光学像を光電子像に変換する光電面２１ａと、光電子像の電子群を増倍するＭＣＰ（Micro Channel Plate）２１ｂと、増倍された電子群から光学像を生成する蛍光面２１ｃとを有する。なお、右眼用暗視モジュール２２０Ｒも、左眼用暗視モジュール２２０Ｌと同様の構造をしている。
【０００７】
そして、左眼用暗視モジュール２２０Ｌは、撮影方向が正面方向（Ｘ方向）を中心軸として例えば４０°の視野となるように配置されるとともに、右眼用暗視モジュール２２０Ｒも、撮影方向が正面方向を中心軸として例えば４０°の視野となるように配置される。よって、装着者は、観察対象を４０°の垂直視野と４０°の水平視野とを有する円形で立体的に視認できるようになっている。図３は、二眼方式ＮＶＧで視認される外界画像の一例を示す図である。
【０００８】
このような二眼方式ＮＶＧ２０１の左眼用暗視モジュール２２０Ｌにおいて、被写体からの微弱な光（光学像）が、対物レンズ２２Ｌを介して左眼用ＩＩ２１Ｌの光電面２１ａに光学像として結像され、光電面２１ａからその光の強弱に応じて電子が放出され、ＭＣＰ２１ｂの入力面に到達し、ＭＣＰのマイクロチャンネル内で二次電子放出面と衝突を繰り返して二次電子が増倍され、最後に蛍光面２１ｃに衝突して高輝度に増倍された増幅光学像になる。これにより、装着者は、接眼レンズ２３Ｌを通して増幅光学像を視認することになる。
【０００９】
ところで、二眼方式ＮＶＧ２０１の左眼用暗視モジュール２２０Ｌは、ゲインを調整することで、光を数千倍〜数万倍の内から調整された倍率に増幅することができる。ゲイン調整は、入力光量に応じてＩＩ内部のイメージインテンシファイア制御部５１がゲインを調整する制御を行っており、増幅光学像のハレーションや黒つぶれを抑制するとともに、ＩＩの損傷を防止している。なお、右眼用暗視モジュール２２０Ｒも、左眼用暗視モジュール２２０Ｌと同様の構造となっている。
その実施例は、例えば下記特許文献２に開示されている。このような夜間暗視装置では、入力光量に応じてＩＩ内部で制御が行われている。
【先行技術文献】
【特許文献】
【００１０】
【特許文献１】特開２００２−１１２１０９号公報
【特許文献２】米国特許第６２７８１０４号明細書
【発明の概要】
【発明が解決しようとする課題】
【００１１】
しかしながら、上述したような二眼方式ＮＶＧ２０１や夜間暗視装置では、入射される光学像が、局所的にある一定の明るさ以上の光を含んでいる場合（例えば、夜間に燈台の光が直接入射した場合等）には、明るい部分が過度に増幅され、ＩＩを損傷させる可能性があった。図９は、装着者が視認する増幅光学像について説明するための図である。
そこで、本発明は、局所的に強い光を含む光学像が入射した場合でも、イメージインテンシファイアを損傷することなく、増幅光学像を良好に観察することができる暗視装置を提供することを目的とする。
【課題を解決するための手段】
【００１２】
上記課題を解決するためになされた本発明の暗視装置は、入射した光学像を増倍するイメージインテンシファイアを備える暗視装置であって、前記イメージインテンシファイアの入力面の前方に配置され、Ａ行Ｂ列に配列された複数の画素を有する液晶遮光シャッタと、前記液晶遮光シャッタに入射する光学像を含む光学像を撮影するように配置され、Ｃ行Ｄ列に配列された複数の光電変換素子を有する撮像素子と、前記撮像素子の各光電変換素子の輝度値に基づいて、前記液晶遮光シャッタの各画素を透過する光の透過率をそれぞれ調整する制御信号を出力する液晶遮光シャッタ制御部とを備えることを特徴としている。
【００１３】
本発明の暗視装置によれば、撮像素子は、Ｃ行Ｄ列に配列された複数の光電変換素子で光学像を取得する。これにより、液晶遮光シャッタ制御部は、この光学像が局所的にある一定の明るさ以上の光を含んでいるか否かを判定し、局所的にある一定の明るさ以上の光を含んでいる場合には、光学像におけるその強い光の位置を認識する。そして、液晶遮光シャッタ制御部は、その位置に対応する液晶遮光シャッタの画素を透過する光の透過率を下げるとともに、その位置以外に対応する液晶遮光シャッタの画素を透過する光の透過率は下げないように制御する。その結果、イメージインテンシファイアには、ある一定の明るさ以上の光は、光の透過率が低い液晶遮光シャッタの画素を通過した後で入射し、一方、ある一定の明るさ未満の光は、光の透過率が高い液晶遮光シャッタの画素を通過した後で入射する。
【発明の効果】
【００１４】
以上のように、本発明の暗視装置によれば、イメージインテンシファイア（ＩＩ）の前方に制御回路を有する構成であるので、ＩＩへ入射する前に輝度を適正値に補正することができ、ＩＩを損傷することがなくなる。このとき、ある一定の明るさ以上の光は、光の透過率が低い液晶遮光シャッタの画素を通過した後で入射するので、ＩＩの損傷を防ぐことができ、また、ある一定の明るさ未満の光は充分に増幅されるため、増幅光学像を良好に観察することができる。
【００１５】
（他の課題を解決するための手段および効果）
また、上記の発明において、前記液晶遮光シャッタ制御部は、前記撮像素子の光電変換素子の輝度値が閾値以上である位置に対応する前記液晶遮光シャッタの画素を透過する光の透過率を下げるようにしてもよい。
ここで、「閾値」とは、イメージインテンシファイアの損傷が危惧される輝度値として予め暗視装置に記録してある値のことをいう。
【００１６】
また上記の発明において、ＡとＣとを同数、ＢとＤとを同数となるようにしてもよい。
本発明の暗視装置によれば、撮像素子の光電変換素子と、液晶遮光シャッタの画素とが同数となるので、容易に制御することができる。
【００１７】
また、上記の発明において、前記イメージインテンシファイアは、右眼用イメージインテンシファイアと左眼用イメージインテンシファイアとを有し、前記液晶遮光シャッタは、前記右眼用イメージインテンシファイアの入力面の前方に配置された右眼用液晶遮光シャッタと、前記左眼用イメージインテンシファイアの入力面の前方に配置された左眼用液晶遮光シャッタとを有するようにしてもよい。
【００１８】
そして、上記の発明において、前記撮像素子は、前記右眼用液晶遮光シャッタと同方向で同視野となるよう配置された右眼用撮像素子と、前記左眼用液晶遮光シャッタと同方向で同視野となるよう配置された左眼用撮像素子とを有するようにしてもよい。
本発明の暗視装置によれば、右眼用撮像素子と左眼用撮像素子とを有するので、右眼用液晶遮光シャッタと左眼用液晶遮光シャッタとを正確に制御することができる。
【００１９】
さらに、上記の発明において、前記撮像素子は、可視光及び赤外光を検出することが可能な複数の光電変換素子を有し、前記撮像素子の複数の光電変換素子から得られた輝度値に基づいて、赤外光画像を表示する表示素子と、前記表示素子に表示された赤外光画像からの光の光路を変更して、装着者の眼に導く光学系とを備え、前記赤外光画像は前記増幅光学像と重畳されて、前記装着者の眼に導かれるようにしてもよい。
本発明の暗視装置によれば、赤外領域映像を微光暗視画像と重畳して表示できるため微光増幅だけでは視認困難な物体の視認性を向上させることができる。
【図面の簡単な説明】
【００２０】
【図１】本発明の一実施形態である二眼方式ＮＶＧの外観構成例を示す図。
【図２】図１の二眼方式ＮＶＧの概略構成を示すブロック図。
【図３】二眼方式ＮＶＧで視認される外界画像の一例を示す図。
【図４】液晶パネル制御部が実行する制御を説明する図。
【図５】本発明の暗視装置によって装着者が視認する増幅光学像の説明図。
【図６】本発明の二眼方式ＮＶＧの他の一例における概略構成を示すブロック図。
【図７】二眼方式ＮＶＧの外観構成例を示す図。
【図８】図７の二眼方式ＮＶＧの概略構成を示すブロック図。
【図９】従来の暗視装置によって装着者が視認する増幅光学像の説明図。
【発明を実施するための形態】
【００２１】
以下、本発明の実施形態について図面を用いて説明する。なお、本発明は、以下に説明するような実施形態に限定されるものではなく、本発明の趣旨を逸脱しない範囲で種々の態様が含まれる。
【００２２】
＜第一実施形態＞
図１は、本発明の一実施形態である二眼方式ＮＶＧの外観構成例を示す図であり、図２は、二眼方式ＮＶＧの概略構成を示すブロック図である。なお、二眼方式ＮＶＧ２０１と同様のものについては、同じ符号を付している。
二眼方式ＮＶＧ１は、双眼鏡に類似の外観を呈するフレーム部１０を備え、フレーム部１０には、装着者の左眼ＥＬの前方に配置される左眼用暗視モジュール２０Ｌと、装着者の右眼ＥＲの前方に配置される右眼用暗視モジュール２０Ｒと、中央部に配置された外界映像センサ４０とが取り付けられている。また、各ＩＩ内部には、ゲインを調整する制御部（図示せず）と、液晶遮光シャッタ３０の各画素Ｇａｂを透過する光の透過率Ｔａｂをそれぞれ調整する制御信号を出力する液晶遮光シャッタ制御部５２とが設けられている。
【００２３】
左眼用暗視モジュール２０Ｌは、外界の光学像を入射する対物レンズ２２Ｌと、光を増倍する左眼用ＩＩ２１Ｌと、左眼用ＩＩ２１Ｌの出力側に設けられた接眼レンズ２３Ｌと、左眼用ＩＩ２１Ｌの入力側に設けられた左眼用液晶遮光シャッタ３０Ｌとを有する。
左眼用液晶遮光シャッタ３０Ｌは、ＹＺ平面においてＡ行Ｂ列（例えば４８０行６４０列）に配列された画素Ｇａｂを有する。そして、左眼用液晶遮光シャッタ３０Ｌは、対物レンズ２２Ｌと左眼用ＩＩ２１Ｌ入力側との間に配置されている。このような左眼用液晶遮光シャッタ３０Ｌに液晶遮光シャッタ制御部５２からの制御信号が各画素Ｇａｂにそれぞれ入力されることにより、電圧が印加された各画素Ｇａｂは、例えば８ｂｉｔ（２５６階調）の光の透過率の内から調整された光の透過率Ｔａｂとなるようになっている。
なお、右眼用暗視モジュール２０Ｒも、左眼用暗視モジュール２０Ｌと同様の構造をしている。
【００２４】
外界映像センサ４０は、外界の光学像を入射する対物レンズ４１と、対物レンズ４１から入射した光を撮像する撮像素子４２とを有する。撮像素子４２は、低照度感度が優れたＣＣＤ（Charge Coupled Device）、ＣＭＯＳ（Complementary Metal-Oxide Semiconductor）等であり、液晶遮光シャッタ制御部５２によってＣ行Ｄ列（例えば６００行８００列）に配列された光電変換素子Ｇｃｄの電荷（映像信号、輝度値Ｉｃｄ）が順次読み出されるようになっている。なお、撮像素子４２は、撮影方向が正面方向（Ｘ方向）を中心軸として例えば４０°の視野となる（左眼用液晶遮光シャッタ３０Ｌ及び右眼用液晶遮光シャッタに入射する光学像と同じ光学像を撮影する）ように配置されており、左眼用液晶遮光シャッタ３０Ｌ及び右眼用液晶遮光シャッタの画素Ｇａｂの位置に対応する撮像素子４２の光電変換素子Ｇｃｄの位置が液晶遮光シャッタ制御部５２に認識される（図３参照）。
【００２５】
液晶遮光シャッタ制御部５２は、撮像素子４２から輝度情報（輝度値Ｉｃｄ）を取得して、撮像素子４２の各光電変換素子Ｇｃｄの輝度値Ｉｃｄが閾値Ｉｔｈ以上である位置に対応する左眼用液晶遮光シャッタ３０Ｌの各画素Ｇａｂを透過する光の透過率Ｔａｂを下げるとともに、右眼用液晶遮光シャッタの各画素Ｇａｂを透過する光の透過率Ｔａｂを下げる制御信号（透過率制御情報）を出力する制御を行う。図４は、液晶遮光シャッタ制御部５２が実行する制御について説明するための図である。
具体的には、まず、撮像素子４２から所定時間間隔Δｔで各光電変換素子Ｇｃｄの輝度値Ｉｃｄを取得する。次に、時間ｔｎにおいて各光電変換素子Ｇｃｄの輝度値Ｉｃｄが閾値Ｉｔｈ以上であるか否かを判定し、閾値Ｉｔｈ以上である輝度値Ｉｃｄを出力した光電変換素子Ｇｃｄを認識する。次に、光電変換素子Ｇｃｄに対応する左眼用液晶遮光シャッタ３０Ｌの画素Ｇａｂと右眼用液晶遮光シャッタの画素Ｇａｂとの光の透過率Ｔａｂを下げる。このとき、閾値Ｉｔｈ未満の輝度値Ｉｃｄを出力した光電変換素子Ｇｃｄに対応する左眼用液晶遮光シャッタ３０Ｌの画素Ｇａｂと、右眼用液晶遮光シャッタの画素Ｇａｂとについては光の透過率Ｔａｂを下げず、また、時間ｔｎ−１で閾値Ｉｔｈ以上であり、時間ｔｎには閾値Ｉｔｈ未満に戻った輝度値Ｉｃｄを出力した光電変換素子Ｇｃｄに対応する左眼用液晶遮光シャッタ３０Ｌの画素Ｇａｂと、右眼用液晶遮光シャッタの画素Ｇａｂとについては、光の透過率Ｔａｂを元に戻すように制御する。
【００２６】
ここで、図５は、装着者が視認する増幅光学像について説明するための図である。光電面２１ａには、閾値Ｉｔｈ以上の輝度値の光は、光の透過率Ｔａｂが低い液晶遮光シャッタ３０の画素Ｇａｂを通過した後で入射し、一方、閾値Ｉｔｈ未満の輝度値の光は、光の透過率Ｔａｂが高い液晶遮光シャッタ３０の画素Ｇａｂを通過した後で入射している。
【００２７】
以上のように、本発明の二眼方式ＮＶＧ１によれば、左眼用ＩＩ２１Ｌや右眼用ＩＩの前方に液晶遮光シャッタ制御部５２を有する構成であるので、左眼用ＩＩ２１Ｌや右眼用ＩＩへ入射する前に輝度を適正値に補正することができ、左眼用ＩＩ２１Ｌや右眼用ＩＩを損傷することがなくなる。このとき、閾値Ｉｔｈ以上の輝度値の光は、光の透過率が低い液晶遮光シャッタ３０の画素Ｇａｂを通過した後で入射するので、左眼用ＩＩ２１Ｌや右眼用ＩＩが損傷せず、また閾値Ｉｔｈ未満の輝度値の光は充分に増幅されるため、増幅光学像を良好に観察することができる。
【００２８】
＜第二実施形態＞
図６は、本発明の二眼方式ＮＶＧの他の実施形態における概略構成を示すブロック図である。なお、二眼方式ＮＶＧ１と同様のものについては、同じ符号を付している。
二眼方式ＮＶＧ１０１は、図１に示したような双眼鏡に類似の外観を呈するフレーム部１０を備え、フレーム部１０には、装着者の左眼ＥＬの前方に配置される左眼用暗視モジュール２０Ｌと、装着者の右眼ＥＲの前方に配置される右眼用暗視モジュール（図示せず）と、左前方上部に配置された左眼用外界映像センサ１４０Ｌと、右前方上部に配置された右眼用外界映像センサ（図示せず）と、左後方上部に配置された左眼用表示モジュール６０Ｌと、右後方上部に配置された右眼用表示モジュール（図示せず）と、左眼用ライトガイド６３Ｌと、右眼用ライトガイド（図示せず）とが取り付けられている。また、各ＩＩ内部には、ゲインを調整するイメージインテンシファイア制御部５１と、左眼用液晶遮光シャッタ３０Ｌ及び右眼用液晶遮光シャッタ（図示せず）の各画素Ｇｃｄを透過する光の透過率Ｔｃｄをそれぞれ調整する制御信号を出力する液晶遮光シャッタ制御部５２とが設けられている。
【００２９】
左眼用外界映像センサ１４０Ｌは、外界の光学像を入射する対物レンズ４１Ｌと、対物レンズ４１Ｌから入射した光を撮像する撮像素子１４２Ｌとを有する。撮像素子１４２Ｌは、可視光及び赤外光を検出することが可能なＣＣＤ、ＣＭＯＳ等であり、液晶遮光シャッタ制御部５２によってＣ行Ｄ列（例えば６００行８００列）に配列された光電変換素子Ｇｃｄの電荷（映像信号、可視光の輝度値Ｉｃｄ）が順次読み出されるようになっている。また、撮像素子１４２Ｌは、左眼用表示素子６１Ｌに映像信号（赤外光の輝度値Ｉｃｄ’）を出力するようになっている。なお、撮像素子１４２Ｌは、撮影方向が正面方向（Ｘ方向）を中心軸として４０°の視野となる（左眼用液晶遮光シャッタ３０Ｌに入射する光学像と同じ光学像を撮影する）ように配置されており、左眼用液晶遮光シャッタ３０Ｌの画素Ｇａｂの位置に対応する撮像素子１４２Ｌの光電変換素子Ｇｃｄの位置が液晶遮光シャッタ制御部５２に認識されている。
【００３０】
左眼用表示モジュール６０Ｌは、左眼用表示素子６１Ｌと、左眼用表示素子６１Ｌ出力側に設けられたコリメート光学系６２Ｌとを有する。左眼用表示素子６１Ｌは、液晶表示器と光源とを組み合わせたものや、有機ＥＬ等であり、Ｅ行Ｆ列（例えば４８０行６４０列）に配列された画素Ｇｅｆを有し、撮像素子１４２Ｌからの映像信号（赤外光の輝度値Ｉｃｄ’）に基づいて赤外光画像を表示するようになっている。
【００３１】
左眼用ライトガイド６３Ｌは、透明なガラス又はプラスチック製の板状体であり、板状体の上端部に配置された左眼用表示素子６１Ｌに表示された画像表示光を板状体内部で反射しながら、板状体の下端部に配置される装着者の左眼ＥＬに導くようになっている。これにより、赤外光画像は増幅光学像と重畳されて、装着者の左眼ＥＬに導かれる。なお、右眼用表示モジュール及び右眼用ライトガイドも、左眼用表示モジュール６０Ｌ及び左眼用ライトガイド６３Ｌと同様の構造をしている。
【００３２】
以上のように、二眼方式ＮＶＧ１０１によれば、左眼用ＩＩ２１Ｌや右眼用ＩＩの前方に液晶遮光シャッタ制御部５２を有する構成であるので、左眼用ＩＩ２１Ｌや右眼用ＩＩへ入射する前に輝度を適正値に補正することができ、左眼用ＩＩ２１Ｌや右眼用ＩＩを損傷することがなくなる。このとき、閾値Ｉｔｈ以上の輝度値の光は、光の透過率が低い左眼用液晶遮光シャッタ３０の画素Ｇａｂや右眼用液晶遮光シャッタの画素Ｇａｂを通過した後で入射するので、左眼用ＩＩ２１Ｌや右眼用ＩＩが損傷せず、また閾値Ｉｔｈ未満の輝度値の光は充分に増幅されるため、増幅光学像を良好に観察することができる。また、赤外光画像を増幅光学像と重畳して表示しているので、増幅光学像だけでは視認困難な物体の視認性を向上させることができる。
【００３３】
＜他の実施形態＞
（１）上述のものは，単眼方式として実施してもよい。
（２）上述した二眼方式ＮＶＧ１では、左眼用暗視モジュール２０Ｌは、対物レンズ２２Ｌと、左眼用ＩＩ２１Ｌと、接眼レンズ２３Ｌと、左眼用液晶遮光シャッタ３０Ｌとを有する構成を示したが、左眼用液晶遮光シャッタが左眼用ＩＩに一体的に組み込まれた構成としてもよい。
【００３４】
（３）上述した二眼方式ＮＶＧ１０１では、赤外光画像を左眼ＥＬや右眼ＥＲに導くため、左眼用ライトガイド６３Ｌや右眼用ライトガイドを用いる構成を示したが、これに代えてプリズム光学系を用いる構成等としてもよい。
【産業上の利用可能性】
【００３５】
本発明は、例えば、地上での運用や、ヘリコプタや航空機のパイロット等に、イメージインテンシファイア等の増幅機能で取得した外界画像を提供する暗視装置等に利用することができる。
【符号の説明】
【００３６】
１  二眼方式ＮＶＧ（暗視装置）
２１  イメージインテンシファイア（ＩＩ）
２１ａ  光電面
２１ｂ  マイクロチャンネルプレート（ＭＣＰ）
２１ｃ  蛍光面
３０  液晶遮光シャッタ
４０  撮像素子
５１  イメージインテンシファイア制御部
５２  液晶遮光シャッタ制御部
【図１】
2014179883.tif 000003
【図２】
2014179883.tif 000004
【図３】
2014179883.tif 000005
【図６】
2014179883.tif 000006
【図７】
2014179883.tif 000007
【図８】
2014179883.tif 000008
【図４】
2014179883.tif 000009
【図５】
2014179883.tif 000010
【図９】
2014179883.tif 000011